(57)【要約】      （修正有）【課題】簡易な巻回帯状残量長測定具を提供する。【解決手段】透明板材１０に、巻回帯状体４の芯筒６の外周に合わせるための基準線２と、該芯筒６に巻回されている帯状体の残量長を示す目盛線３とを、同心円的に付けることにより、巻回帯状体残量長測定具１を構成する。巻回帯状体４の外周の位置が目盛線のどの位置にあるかを読み取ることにより、残量長を比較的正確に測定出来るようになった。【選択図】図２
0003141745.tif 000002
【実用新案登録請求の範囲】
【請求項１】
透明板材に、
巻回帯状体の芯筒の外周に合わせるための基準線と、
該芯筒に巻回されている帯状体の残量長を示す目盛線とを、
同心円的に付けることにより構成され、
前記巻回帯状体の外周の位置が目盛線のどの位置にあるかにより残量長を測定するようにしたことを特徴とする巻回帯状体残量長測定具。
【請求項２】
基準線を透明板材の中央付近に中心を有する円とし、
目盛線を該基準線に同心の円とした
ことを特徴とする請求項１記載の巻回帯状体残量長測定具。
【請求項３】
透明板材の形状を、直線状側辺を少なくとも１つ有する形状とし、
基準線を該直線状側辺の中央付近に中心を有する半円とし、
目盛線を該基準線に同心の半円とした
ことを特徴とする請求項１記載の巻回帯状体残量長測定具。
【請求項４】
透明板材の形状を、隣接して直交する直線状側辺の組を少なくとも１組有する形状とし、
基準線を該直線状側辺が直交する付近に中心を有する４分の１円とし、
目盛線を該基準線に同心の４分の１円とした
ことを特徴とする請求項１記載の巻回帯状体残量長測定具。
【考案の詳細な説明】
【技術分野】
【０００１】
本考案は、芯筒に巻いてある帯状体が、あとどの位の長さ残っているかを簡易に測定する巻回帯状体残量長測定具に関するものである。
【背景技術】
【０００２】
種々の製品を製造する場合、製造に必要とされる資材は、しばしば帯状体の形で供給されている。例えば、帯状体の紙，布，不織布，ビニール，プラスチックフィルム，金属板等が巻回して保持されており、そこから少しづつ巻きほどきながら供給し、必要な長さだけ切って製品の製造に用いられている。
帯状体の資材は、筒状の芯筒に巻回されている。芯筒には、紙で作られたものや（紙管）、金属やプラスチック等で作られたものがあるが、どのようなものを用いるかは、それに巻回する資材に応じて決定される。
【０００３】
製造現場で帯状体の資材を使用する場合、重要なことの１つは、資材があとどの位の長さ残っているか（残量長）を知ることである。なぜなら、資材がなくなれば製品の製造が完全にストップしてしまうからである。従って、そうならないよう、タイミングよく次の資材を供給する必要がある。そのためには、残量長を製造現場で簡易に知ることが出来るということが重要である。
【０００４】
図７は、巻回帯状体の種々の残量状態を示す図である。図７において、４は巻回帯状体、５は帯状体端部、６は芯筒、Ｔ1 ，Ｔ2 ，Ｔ3 は巻回厚である。図７（１）は残量大の場合を示し、（２）は残量中の場合を示し、（３）は残量小の場合を示している。従って、巻回帯状体４の巻回厚の大小関係は、Ｔ1 ＞Ｔ2 ＞Ｔ3 である。
従来の製造現場においては、巻回帯状体４の巻回厚を目視することにより残量長を推定し、次の供給計画を立てるようにしているところが少なからずあった。
【特許文献１】特開平０７−０４１０３６号公報
【考案の開示】
【考案が解決しようとする課題】
【０００５】
前記したように、巻回帯状体の巻回厚を現場で目視することにより残量長を推定するやり方は、あまり正確ではなく、その推定値も現場責任者の経験年数，熟練度等により、相当バラツキがあった。
そのため、予測より早く資材がなくなってしまい、供給が間に合わなかったり、あるいは、次の資材を早く持って来すぎてしまい、現場の作業の邪魔になったりするというようなことがあった。
本考案は、このような問題点を解決するため、現場で簡易に出来るだけ正確に残量長を測定し得るようにすることを課題とするものである。
【課題を解決するための手段】
【０００６】
前記課題を解決するため、本考案では、透明板材に、巻回帯状体の芯筒の外周に合わせるための基準線と、該芯筒に巻回されている帯状体の残量長を示す目盛線とを、同心円的に付けることにより巻回帯状体残量長測定具を構成し、前記巻回帯状体の外周の位置が目盛線のどの位置にあるかにより残量長を測定するようにした。
前記巻回帯状体残量長測定具においては、基準線を透明板材の中央付近に中心を有する円とし、目盛線を該基準線に同心の円とすることが出来る。
【０００７】
また、透明板材の形状を、直線状側辺を少なくとも１つ有する形状とし、基準線を該直線状側辺の中央付近に中心を有する半円とし、目盛線を該基準線に同心の半円とすることも出来る。
あるいはまた、透明板材の形状を、隣接して直交する直線状側辺の組を少なくとも１組有する形状とし、基準線を該直線状側辺が直交する付近に中心を有する４分の１円とし、目盛線を該基準線に同心の４分の１円とすることも出来る。
【考案の効果】
【０００８】
本考案の巻回帯状体残量長測定具によれば、現場で巻回帯状体に巻回帯状体残量長測定具を当てがって目盛を読み取るだけで、直ちに残量長を測定することが出来るようになる。目盛を細かく付けておけば、読み取る残量長の値はより一層正確となる。
そのため、次の資材供給をタイミングよく行うことが可能となる。
【考案を実施するための最良の形態】
【０００９】
以下、本考案の実施形態を図面に基づいて詳細に説明する。
（第１の実施形態）
図１は、本考案の第１の実施形態を示す図である。図１において、１は巻回帯状体残量長測定具、２は基準線、３は目盛線、１０は透明板材である。透明板材１０としては、例えば透明なプラスチック板を用いることが出来る。
この実施形態では、基準線２を透明板材１０の中央付近に中心を有する円とし、目盛線３を該基準線２に同心の円としている。なお、透明板材１０の形状は、図１では四角形のものが示してあるが、これは一例であり、全体として円形のものでもよい。
【００１０】
基準線２は、巻回帯状体残量長測定具１を用いて巻回帯状体の残量長を測定する際、芯筒の外周に合わせる線であり、残量長を測定する基準となる線である。帯状体の一方の端部は先ず芯筒に巻き付けられ、そこから徐々に巻き重ねられて行くから、芯筒の外周部分が、帯状体残量長を測定するときの基準位置となる。
【００１１】
目盛線３は、残量長を表す線である。目盛線３上に小さい字で、１０，２０等と書いてあるのは、例えば１０ｍ，２０ｍのことを意味している。巻回帯状体残量長測定具１を巻回帯状体に当てがったとき、仮に巻回帯状体の外周が２０ｍの目盛線３に合わさっていれば、残量長は２０ｍということになる。
【００１２】
図２は、第１の実施形態の使用要領を説明する図であり、符号は図１，図７のものに対応している。図２（１）は、巻回されている帯状体を途中まで使用した巻回帯状体４を示し、図２（２）は、その帯状体残量長を測定する要領を示している。測定要領は、次の通りである。
【００１３】
先ず、巻回帯状体残量長測定具１の基準線２を、巻回帯状体４の芯筒６の外周に合わせる。次に、巻回帯状体４の外周が目盛線３のどの位置にあるかを読み取る。図示した例では、目盛りの「２２」の位置にあると読み取られる。目盛りの単位をｍとすれば、残量長は２２ｍと測定される。
このように、本考案の巻回帯状体残量長測定具１によれば、単に巻回帯状体４に当てがって目盛りを読み取るだけという極めて簡単な作業により、残量長を測定することが可能となる。
【００１４】
（第２の実施形態）
図３は、本考案の第２の実施形態を示す図であり、符号は図１のものに対応している。この実施形態では、透明板材１０の形状を、直線状側辺を少なくとも１つ有する形状としている。図２では長方形のものが示してあるが、これは一例であり、直線状側辺以外の部分はどのような曲線になっていてもよい（例えば、分度器のように半円形であってもよい）。
基準線２は、左側の直線状側辺の中央付近に中心を有する半円とされている。また、目盛線３は、該基準線２に同心の半円とされている。
【００１５】
図４は、第２の実施形態の使用要領を説明する図であり、符号は図２のものに対応している。この巻回帯状体残量長測定具１を用いて測定するときは、図４（２）に示すように、先ず半円の基準線２を芯筒６の外周に合わせる。次に巻回帯状体４の外周が目盛線３のどの位置にあるかを読み取る。目盛線３が半円でしか描いてなくとも、残量長をほぼ正確に測定することが出来る。
【００１６】
（第３の実施形態）
図５は、本考案の第３の実施形態を示す図であり、符号は図１のものに対応している。この実施形態では、透明板材１０の形状を、隣接して直交する直線状側辺の組を少なくとも１組有する形状としている。図５では正方形のものが示してあるが、これは一例であり、１組の直線状側辺以外の部分はどのような曲線になっていてもよい。
基準線２は、該直線状側辺が直交する付近に中心を有する４分の１円とされている。また、目盛線３は、該基準線２に同心の４分の１円とされている。
【００１７】
図６は、第３の実施形態の使用要領を説明する図であり、符号は図２のものに対応している。この巻回帯状体残量長測定具１を用いて測定するときは、図６（２）に示すように、先ず４分の１円の基準線２を芯筒６の外周に合わせる。次に巻回帯状体４の外周が目盛線３のどの位置にあるかを読み取る。目盛線３が４分の１円でしか描いてなくとも、やはり残量長をほぼ正確に測定することが出来る。
【００１８】
ところで、芯筒の外径には、１５ｃｍのものもあれば、２０ｃｍのものもあるという具合に、いろいろなものがある。外径が異なれば外周も異なるから、帯状体残量長を測定する際の基準位置が異なることになる。従って、使用する巻回帯状体残量長測定具１としては、その外周と一致する基準線２を有するものを用いる必要がある。
また、巻回される帯状体の厚みが異なれば、１回巻回される毎に増える巻回帯状体の直径も異なるから、外周も異なって来る。従って、使用する巻回帯状体残量長測定具１としては、目盛線３の間隔がその帯状体の厚みに適合させて付けられているものを用いる必要がある。
【００１９】
これらのことより、取り扱っている巻回帯状体は特定の１種類という製造現場では、その芯筒の外径および帯状体厚みに適合した巻回帯状体残量長測定具１のみを備えておけばよい。
しかし、取り扱っている巻回帯状体の種類が多く、芯筒の外径も帯状体の厚みもいろいろなものがあるという製造現場では、それらいろいろな芯筒の外径および帯状体の厚みに適合した巻回帯状体残量長測定具１を、幾つも備えておく必要がある。
【図面の簡単な説明】
【００２０】
【図１】本考案の第１の実施形態を示す図
【図２】第１の実施形態の使用要領を説明する図
【図３】本考案の第２の実施形態を示す図
【図４】第２の実施形態の使用要領を説明する図
【図５】本考案の第３の実施形態を示す図
【図６】第３の実施形態の使用要領を説明する図
【図７】巻回帯状体の種々の残量状態を示す図
【符号の説明】
【００２１】
１…巻回帯状体残量長測定具、２…基準線、３…目盛線、４…巻回帯状体、５…帯状体端部、６…芯筒、１０…透明板材
【図１】
0003141745.tif 000003
【図２】
0003141745.tif 000004
【図３】
0003141745.tif 000005
【図４】
0003141745.tif 000006
【図５】
0003141745.tif 000007
【図６】
0003141745.tif 000008
【図７】
0003141745.tif 000009